(57)【特許請求の範囲】
【請求項１】
搬送経路上を複数列となって所定のピッチで搬送されてくるＲＦ−ＩＤメディアから情報を読み取る情報読取装置であって、
前記搬送経路上に前記ＲＦ−ＩＤメディアの搬送列毎に設けられ、前記ＲＦ−ＩＤメディアが対向する領域に搬送されてきたタイミングで当該ＲＦ−ＩＤメディアから情報を読み取る読取手段を有し、
前記読取手段は、隣接する搬送列に対応する読取手段に対して前記ＲＦ−ＩＤメディアの搬送方向にずれて配置されており、当該ずれ量が前記ピッチの整数倍ではない情報読取装置。
【請求項２】
請求項１に記載の情報読取装置において、
前記搬送経路上を搬送されてくるＲＦ−ＩＤメディアと前記読取手段との間に介在し、前記読取手段に対向する領域に孔部が形成されたシールド部材を有する情報読取装置。
【発明の詳細な説明】
【技術分野】
【０００１】
本発明は、ＲＦ−ＩＤメディアから情報を読み取る情報読取装置に関し、特に、搬送経路上を複数列となって所定のピッチで搬送されてくるＲＦ−ＩＤメディアから情報を読み取る情報読取装置に関する。
【背景技術】
【０００２】
近年、情報化社会の進展に伴って、情報をタグやラベルに記録し、該タグやラベルを商品等に添付して商品等の管理が行われている。このようなタグやラベルを用いた商品等の管理においては、非接触状態にて情報の書き込み及び読み出しを行うことが可能なＩＣが搭載された非接触型ＩＣタグや非接触型ＩＣラベルがその優れた利便性から急速な普及が進みつつある。
【０００３】
このような非接触型ＩＣタグや非接触型ＩＣラベルといったＲＦ−ＩＤメディアにおいては、製品として出荷される前に検査手段となるリーダ／ライタによって電波を用いてＲＦ−ＩＤメディアから情報を読み取ることにより、良品／不良品の検査が行われている。その際、ＲＦ−ＩＤメディアが列をなして搬送されてくる場合、列の前後のＲＦ−ＩＤメディアからも情報を読み取ってしまったり、電波の干渉が生じたりすることにより、ＲＦ−ＩＤメディアとの間にて通信不良が生じてしまうことがある。
【０００４】
そこで、ＲＦ−ＩＤメディアが列をなして搬送されてくる場合に、列の前後のＲＦ−ＩＤメディアからも情報を読み取ってしまうことを回避するために、情報の読み取り対象となるＲＦ−ＩＤメディアのみが表出するような孔部が形成されたシールド部材が用いられている（例えば、特許文献１参照）。
【０００５】
ここで、上述したようなＲＦ−ＩＤメディアの検査を効率的に行うために、ＲＦ−ＩＤメディアを複数列で搬送しながら検査を行う方法が採られている。
【０００６】
図６は、ＲＦ−ＩＤメディアを複数列で搬送しながら検査を行う方法の一例を説明するための図である。
【０００７】
図６に示すように、搬送経路２５０上を５列になって搬送されてくるＩＣタグ２６０に対して検査を行う場合は、上述したように、列の前後のＲＦ−ＩＤメディアからも情報を読み取ってしまうことがないように２つのシールド板２４０ａ，２４０ｂを用意する。そして、この２つのシールド板２４０ａ，２４０ｂを、ＩＣタグ２６０の搬送方向にＩＣタグ２６０の１つ分の間隔を離して配置することで、５列のそれぞれについて１つずつのＩＣタグ２６０のみから情報を読み取ることができるようになる。
【先行技術文献】
【特許文献】
【０００８】
【特許文献１】特開２００３−１６８０９８号公報
【発明の概要】
【発明が解決しようとする課題】
【０００９】
しかしながら、図６に示すような方法においては、列の前後のＩＣタグ２６０から情報を読み取ってしまうことを回避することができるものの、ＩＣタグ２６０から情報を読み取るリーダ／ライタの出力が大きな場合や、リーダ／ライタの台数が多い場合、隣接する列のＩＣタグ２６０からの情報も読み取ってしまったり、隣接する列のＩＣタグ２６０に対する読み取りの電波間で干渉が生じてしまったりして、リーダ／ライタとＲＦ−ＩＤメディアとの間にて通信不良が生じてしまう虞れがある。
【００１０】
本発明は、上述したような従来の技術が有する問題点に鑑みてなされたものであって、搬送経路上を複数列となって所定のピッチで搬送されてくるＲＦ−ＩＤメディアから情報を読み取る場合に、情報を読み取るための電波の干渉によって通信不良が生じてしまう可能性を低減することができる情報読取装置を提供することを目的とする。
【課題を解決するための手段】
【００１１】
上記目的を達成するために本発明は、
搬送経路上を複数列となって所定のピッチで搬送されてくるＲＦ−ＩＤメディアから情報を読み取る情報読取装置であって、
前記搬送経路上に前記ＲＦ−ＩＤメディアの搬送列毎に設けられ、前記ＲＦ−ＩＤメディアが対向する領域に搬送されてきたタイミングで当該ＲＦ−ＩＤメディアから情報を読み取る読取手段を有し、
前記読取手段は、隣接する搬送列に対応する読取手段に対して前記ＲＦ−ＩＤメディアの搬送方向にずれて配置されており、当該ずれ量が前記ピッチの整数倍ではない。
【００１２】
上記のように構成された本発明においては、ＲＦ−ＩＤメディアが搬送経路上を複数列となって所定のピッチで搬送されてくると、搬送経路上にてＲＦ−ＩＤメディアの搬送列毎に設けられた読取手段において、ＲＦ−ＩＤメディアが対向する領域に搬送されてきたタイミングでそのＲＦ−ＩＤメディアから情報が読み取られる。この際、読取手段が、隣接する搬送列に対応する読取手段に対してＲＦ−ＩＤメディアの搬送方向にずれて配置されており、そのずれ量がＲＦ−ＩＤメディアのピッチの整数倍ではないことにより、読取手段においては、隣接する搬送列のＲＦ−ＩＤメディアに対しては互いにずれたタイミングで情報が読み取られることになる。これにより、隣接する搬送列間にて電波の干渉が生じにくくなり、ＲＦ−ＩＤメディアとの間にて通信不良が生じる可能性が低減される。
【００１３】
また、搬送経路上を搬送されてくるＲＦ−ＩＤメディアと読取手段との間に、読取手段に対向する領域に孔部が形成されたシールド部材を介在させることにより、電波の干渉をさらに低減することができる。
【発明の効果】
【００１４】
本発明は、以上説明したように構成されているので、搬送経路上を複数列となって所定のピッチで搬送されてくるＲＦ−ＩＤメディアから情報を読み取る場合に、隣接する搬送列のＲＦ−ＩＤメディアに対しては、読取手段において互いにずれたタイミングで情報が読み取られることになり、それにより、情報を読み取るための電波の干渉によって通信不良が生じてしまう可能性を低減することができる。
【００１５】
また、搬送経路上を搬送されてくるＲＦ−ＩＤメディアと読取手段との間に介在し、読取手段に対向する領域に孔部が形成されたシールド部材を有するものにおいては、電波の干渉をさらに低減することができる。
【図面の簡単な説明】
【００１６】
【図１】本発明の情報読取装置の実施の一形態を示す図であり、（ａ）は全体の構成を示す図、（ｂ）は（ａ）に示したシールド板に形成された孔部と搬送経路上を搬送されてくるＩＣタグとの位置関係を示す図である。
【図２】図１に示した情報読取装置の詳細な動作を説明するための図である。
【図３】図１に示したリーダ／ライタにおけるタグＩＤの読み取りタイミングを示す図である。
【図４】本発明の情報読取装置の他の実施の形態におけるシールド板に形成された孔部と搬送経路上を搬送されてくるＩＣタグとの位置関係を示す図である。
【図５】本発明の情報読取装置の他の実施の形態におけるシールド板に形成された孔部と搬送経路上を搬送されてくるＩＣタグとの位置関係を示す図である。
【図６】ＲＦ−ＩＤメディアを複数列で搬送しながら検査を行う方法の一例を説明するための図である。
【発明を実施するための形態】
【００１７】
以下に、本発明の実施の形態について図面を参照して説明する。
【００１８】
図１は、本発明の情報読取装置の実施の一形態を示す図であり、（ａ）は全体の構成を示す図、（ｂ）は（ａ）に示したシールド板４０に形成された孔部４１ａ〜４１ｅと搬送経路５０上を搬送されてくるＩＣタグ６０との位置関係を示す図である。
【００１９】
本形態は図１（ａ）に示すように、搬送経路５０上を搬送されてくるＲＦ−ＩＤメディアとなるＩＣタグ６０から情報を読み取ることによってこのＩＣタグ６０の検査を行うものである。ＩＣタグ６０が搬送されてくる搬送経路５０上には、ＩＣタグ６０から情報を読み取る読取手段となるリーダ／ライタ１０ａ〜１０ｅが設けられており、また、搬送経路５０上を搬送されてくるＩＣタグ６０とリーダ／ライタ１０ａ〜１０ｅとの間には、電波を遮蔽することによってリーダ／ライタ１０ａ〜１０ｅにおけるＩＣタグ６０からの情報の読み取りを不能とするシールド部材となるシールド板４０が介在している。リーダ／ライタ１０ａ〜１０ｅは、制御部３０に接続されている。ＩＣタグ６０には、識別情報となるタグＩＤが書き込まれており、リーダ／ライタ１０ａ〜１０ｅにてこのタグＩＤがＩＣタグ６０から読み取られることにより、制御部３０にてＩＣタグ６０の良品／不良品の判定が行われる。
【００２０】
本形態においては、ＩＣタグ６０が搬送経路５０上を５列になって所定のピッチで搬送されてくる。そして、図１（ｂ）に示すように、シールド板４０には、このＩＣタグ６０の５つの搬送列毎に、１つのＩＣタグ６０のみが表出する程度の大きさの孔部４１ａ〜４１ｅが形成されている。この孔部４１ａ〜４１ｅは、搬送経路５０上を搬送されてくるＩＣタグ６０の搬送方向に直交する方向に全てが並んで形成されているのではなく、隣接する搬送列に対応する孔部に対して、ＩＣタグ６０の搬送方向に、ＩＣタグ６０の搬送ピッチの３．５倍だけずれて形成されている。具体的には、孔部４１ｂは、孔部４１ａに対して、ＩＣタグ６０の搬送方向上流側にＩＣタグ６０の搬送ピッチの３．５倍だけずれて形成されており、孔部４１ｃは、孔部４１ｂに対して、ＩＣタグ６０の搬送方向下流側にＩＣタグ６０の搬送ピッチの３．５倍だけずれて形成されており、孔部４１ｄは、孔部４１ｃに対して、ＩＣタグ６０の搬送方向上流側にＩＣタグ６０の搬送ピッチの３．５倍だけずれて形成されており、孔部４１ｅは、孔部４１ｄに対して、ＩＣタグ６０の搬送方向下流側にＩＣタグ６０の搬送ピッチの３．５倍だけずれて形成されている。これにより、ＩＣタグ６０の搬送列について１つおきとなる３つの孔部４１ａ，４１ｃ，４１ｅが、ＩＣタグ６０の搬送方向に直交する方向に並んで形成されており、２つの孔部４１ｂ，４１ｄが同じくＩＣタグ６０の搬送方向に直交する方向に並んで形成されている。
【００２１】
リーダ／ライタ１０ａ〜１０ｅのそれぞれは、これら孔部４１ａ〜４１ｅと対向するように配置されている。すなわち、リーダ／ライタ１０ａ〜１０ｅは、隣接する搬送列に対応するリーダ／ライタに対して、ＩＣタグ６０の搬送方向に、ＩＣタグ６０の搬送ピッチの３．５倍だけずれて配置されていることになる。リーダ／ライタ１０ａ〜１０ｅは、孔部４１ａ〜４１ｅに対向する領域に搬送されてきたＩＣタグ６０からタグＩＤを読み取る。孔部４１ａ〜４１ｅに対向する領域に搬送されてきたＩＣタグ６０は、この孔部４１ａ〜４１ｅを介してリーダ／ライタ１０ａ〜１０ｅ側に表出するため、リーダ／ライタ１０ａ〜１０ｅにおいては、シールド板４０の影響を受けることなく、孔部４１ａ〜４１ｅに対向する領域に搬送されてきたＩＣタグ６０から孔部４１ａ〜４１ｅを介してタグＩＤを読み取ることができる。
【００２２】
制御部３０は、リーダ／ライタ１０ａ〜１０ｅにおけるタグＩＤの読み取り動作を制御するものである。制御部３０には、トリガセンサ２０が接続されており、このトリガセンサ２０にてＩＣタグ６０が検出されたタイミングに基づいて、リーダ／ライタ１０ａ〜１０ｅにてＩＣタグ６０からタグＩＤの読み取り動作を実行する。すなわち、制御部３０は、リーダ／ライタ１０ａ〜１０ｅにおけるタグＩＤの読み取り動作を実行するタイミングを制御するものとも言える。
【００２３】
上記のように構成された情報読取装置においては、搬送経路５０上をＩＣタグ６０が５列になって搬送されてきて、その５列のそれぞれについて、シールド板４０に形成された孔部４１ａ〜４１ｅに対向する領域にてリーダ／ライタ１０ａ〜１０ｅによってＩＣタグ６０からタグＩＤが読み取られることになるが、孔部４１ａ〜４１ｅのそれぞれが、ＩＣタグ６０の搬送列毎に１つのＩＣタグ６０のみが表出するものであって、その周囲にはシールド板４０が存在していることにより、リーダ／ライタ１０ａ〜１０ｅのそれぞれにおいて、読み取り対象となるＩＣタグ６０に隣接するＩＣタグ６０からもタグＩＤを読み取ってしまうことが回避される。また、孔部４１ａ〜４１ｅが、搬送経路５０上を搬送されてくるＩＣタグ６０の搬送方向に直交する方向に全てが並んで形成されているのではなく、隣接する搬送列に対応する孔部に対して、ＩＣタグ６０の搬送方向にずれて形成されているとともに、これに対向するリーダ／ライタ１０ａ〜１０ｅについても、搬送経路５０上を搬送されてくるＩＣタグ６０の搬送方向に直交する方向に全てが並んで配置されているのではなく、隣接する搬送列に対応するリーダ／ライタに対してずれて配置されていることにより、隣接するリーダ／ライタ間にてＩＣタグ６０に対する情報の読み出しのための電波の干渉が生じにくくなっている。
【００２４】
以下に、上述した情報読取装置の詳細な動作について説明する。
【００２５】
図２は、図１に示した情報読取装置の詳細な動作を説明するための図であり、図３は、図１に示したリーダ／ライタ１０ａ〜１０ｅにおけるタグＩＤの読み取りタイミングを示す図である。なお、図２においては、リーダ／ライタ１０ａ〜１０ｅの記載は省略しているが、上述したように孔部４１ａ〜４１ｅに対向するようにリーダ／ライタ１０ａ〜１０ｅが設けられている。
【００２６】
図１に示した情報読取装置においては、上述したように、シールド板４０の孔部４１ａ〜４１ｅが、隣接する搬送列に対応する孔部に対して、ＩＣタグ６０の搬送方向に、ＩＣタグ６０の搬送ピッチの３．５倍だけずれて形成されているため、図２（ａ）に示すように、孔部４１ａ，４１ｃ，４１ｅに対向する領域にＩＣタグ６０が搬送されてきている状態では、孔部４１ｂ，４１ｄは、１つのＩＣタグ６０が表出するのではなく、２つのＩＣタグ６０の半分ずつに跨ったような状態となっている。また、図２（ｂ）に示すように、孔部４１ｂ，４１ｄに対向する領域にＩＣタグ６０が搬送されてきている状態では、孔部４１ａ，４１ｃ，４１ｅは、１つのＩＣタグ６０が表出するのではなく、２つのＩＣタグ６０の半分ずつに跨ったような状態となっている。
【００２７】
制御部３０においては、リーダ／ライタ１０ａ〜１０ｅのそれぞれについて、対向する孔部４１ａ〜４１ｅから表出しているＩＣタグ６０からタグＩＤが読み取られる制御が行われる。
【００２８】
そのため、図３に示すように、図２（ａ）に示したように孔部４１ａ，４１ｃ，４１ｅに対向する領域にＩＣタグ６０が搬送されてきた状態Ｓ１においては、制御部３０において、孔部４１ａ，４１ｃ，４１ｅに対向するリーダ／ライタ１０ａ，１０ｃ，１０ｅからの電波出力をＯＮとする制御が行われ、リーダ／ライタ１０ａ，１０ｃ，１０ｅのみにてタグＩＤの読み取り動作が実行される。この電波出力をＯＮとするタイミングは、トリガセンサ２０にて５列の先頭のＩＣタグ６０が検出された後、ＩＣタグ６０がトリガセンサ２０にて検出された位置から孔部４１ａ，４１ｃ，４１ｅが並ぶ領域までの距離に応じたタイミングに従って制御される。また、孔部４１ａ，４１ｃ，４１ｅに対向する領域にＩＣタグ６０が搬送されてきている状態Ｓ１においては、孔部４１ｂ，４１ｄは、１つのＩＣタグ６０が表出するのではなく、２つのＩＣタグ６０の半分ずつに跨ったような状態となっているため、孔部４１ｂ，４１ｄに対向するリーダ／ライタ１０ｂ，１０ｄからの電波出力はＯＦＦとなっている。
【００２９】
また、図３に示すように、図２（ｂ）に示したように孔部４１ｂ，４１ｄに対向する領域にＩＣタグ６０が搬送されてきた状態Ｓ２においては、制御部３０において、孔部４１ｂ，４１ｄに対向するリーダ／ライタ１０ｂ，１０ｄからの電波出力をＯＮとする制御が行われ、リーダ／ライタ１０ｂ，１０ｄのみにてタグＩＤの読み取り動作が実行される。この電波出力をＯＮとするタイミングは、トリガセンサ２０にて５列の先頭のＩＣタグ６０が検出された後、ＩＣタグ６０がトリガセンサ２０にて検出された位置から孔部４１ｂ，４１ｄが並ぶ領域までの距離に応じたタイミングに従って制御される。また、孔部４１ｂ，４１ｄに対向する領域にＩＣタグ６０が搬送されてきている状態Ｓ２においては、孔部４１ａ，４１ｃ，４１ｅは、１つのＩＣタグ６０が表出するのではなく、２つのＩＣタグ６０の半分ずつに跨ったような状態となっているため、孔部４１ａ，４１ｃ，４１ｅに対向するリーダ／ライタ１０ａ，１０ｃ，１０ｅからの電波出力はＯＦＦとなっている。
【００３０】
上述したリーダ／ライタ１０ａ〜１０ｅからの電波出力のＯＮ／ＯＦＦ制御は、図３に示すように、孔部４１ａ〜４１ｅに対向する領域にＩＣタグ６０が搬送されてくる度毎に繰り返し行われることになる。
【００３１】
このように、リーダ／ライタ１０ａ〜１０ｅにおいては、制御部３０の制御によって、そのリーダ／ライタ１０ａ〜１０ｅに対向する孔部４１ａ〜４１ｅから１つのＩＣタグ６０が表出したタイミングにおいてそのＩＣタグ６０からタグＩＤが読み取られるが、孔部４１ａ〜４１ｅ及びリーダ／ライタ１０ａ〜１０ｅが、隣接する搬送列に対応するリーダ／ライタ及び孔部に対して、ＩＣタグ６０の搬送方向に、ＩＣタグ６０の搬送ピッチの３．５倍だけずれて設けられているため、１つのＩＣタグ６０が孔部４１ａ〜４１ｅから表出されてリーダ／ライタ１０ａ〜１０ｅにてタグＩＤが読み取られる状態では、そのＩＣタグ６０に隣接する搬送列に対応する孔部からは１つのＩＣタグが表出しておらず、制御部３０の制御によって、対応するリーダ／ライタにてタグＩＤが読み取られないこととなる。それにより、隣接する搬送列に対応するリーダ／ライタ１０ａ〜１０ｅにおいては、互いにずれたタイミングでＩＣタグ６０からタグＩＤが読み取られることになり、隣接する搬送列間にて電波の干渉が生じにくくなり、ＲＦ−ＩＤメディアとの間にて通信不良が生じる可能性が低減される。なお、トリガセンサ２０にてＩＣタグ６０が検知されてからＩＣタグ６０が孔部４１ａ〜４１ｅに対向する領域に搬送され、ＩＣタグ６０のタグＩＤの読み取りが実施されるまでの距離は、ＩＣタグ６０の搬送列毎に個別に設定することができ、また、搬送列毎にトリガセンサ２０を設け、搬送列毎にＩＣタグ６０からのタグＩＤの読み取りのタイミングをずらすことも考えられる。
【００３２】
（他の実施の形態）
図４は、本発明の情報読取装置の他の実施の形態におけるシールド板４０に形成された孔部４１ａ〜４１ｅと搬送経路１５０上を搬送されてくるＩＣタグ６０との位置関係を示す図である。
【００３３】
本形態は図４に示すように、図１に示したものに対して、ＩＣタグ６０のピッチが、孔部４１ａ，４１ｃ，４１ｅと孔部４１ｂ，４１ｄとのＩＣタグ６０の搬送方向の間隔の２倍となっている点が異なるものである。これにより、本形態においては、孔部４１ａ〜４１ｅ及びリーダ／ライタ１０ａ〜１０ｅが、隣接する搬送列に対応するリーダ／ライタ及び孔部に対して、ＩＣタグ６０の搬送方向に、ＩＣタグ６０の搬送ピッチの０．５倍だけずれて設けられていることになる。
【００３４】
本形態においては、孔部４１ａ，４１ｃ，４１ｅに対向する領域にＩＣタグ６０が搬送されてきている状態においては、孔部４１ｂ，４１ｄからＩＣタグ６０が表出しておらず、それにより、孔部４１ａ，４１ｃ，４１ｅに対向するリーダ／ライタのみにてＩＣタグ６０からのタグＩＤの読み取り動作が実行され、孔部４１ｂ，４１ｄに対向するリーダ／ライタにおいてはＩＣタグ６０からのタグＩＤの読み取り動作は実行されない。また、孔部４１ｂ，４１ｄに対向する領域にＩＣタグ６０が搬送されてきている状態においては、孔部４１ａ，４１ｃ，４１ｅからＩＣタグ６０が表出しておらず、それにより、孔部４１ｂ，４１ｄに対向するリーダ／ライタのみにてＩＣタグ６０からのタグＩＤの読み取り動作が実行され、孔部４１ａ，４１ｃ，４１ｅに対向するリーダ／ライタにおいてはＩＣタグ６０からのタグＩＤの読み取り動作は実行されない。
【００３５】
このように、本形態においても、隣接する搬送列に対応するリーダ／ライタにおいては、互いにずれたタイミングでＩＣタグ６０からタグＩＤが読み取られることになり、隣接する搬送列間にて電波の干渉が生じにくくなり、ＲＦ−ＩＤメディアとの間にて通信不良が生じる可能性が低減される。
【００３６】
図５は、本発明の情報読取装置の他の実施の形態におけるシールド板１４０に形成された孔部４１ａ〜４１ｅと搬送経路５０上を搬送されてくるＩＣタグ６０との位置関係を示す図である。
【００３７】
本形態は図５に示すように、図１に示したものに対して、シールド板１４０にＩＣタグ６０の搬送列に対応して形成された孔部１４１ａ〜１４１ｅの配置のみが異なるものである。具体的には、孔部１４１ｂは、孔部１４１ａに対して、ＩＣタグ６０の搬送方向下流側にＩＣタグ６０の搬送ピッチの｛２＋（１／３）｝倍だけずれて形成されており、孔部１４１ｃは、孔部１４１ｂに対して、ＩＣタグ６０の搬送方向上流側にＩＣタグ６０の搬送ピッチの｛４＋（２／３）｝倍だけずれて形成されており、孔部１４１ｄは、孔部１４１ｃに対して、ＩＣタグ６０の搬送方向下流側にＩＣタグ６０の搬送ピッチの｛２＋（１／３）｝倍だけずれて形成されており、孔部１４１ｅは、孔部１４１ｄに対して、ＩＣタグ６０の搬送方向下流側にＩＣタグ６０の搬送ピッチの｛２＋（１／３）｝倍だけずれて形成されている。これにより、ＩＣタグ６０の搬送列について２つおきとなる３つの孔部１４１ａ，１４１ｄが、ＩＣタグ６０の搬送方向に直交する方向に並んで形成されており、２つの孔部１４１ｂ，１４１ｅが同じくＩＣタグ６０の搬送方向に直交する方向に並んで形成されている。なお、本形態においても、孔部１４１ａ〜１４１ｅに対応する領域にリーダ／ライタが配置されている。
【００３８】
本形態においては、孔部１４１ｂ，１４１ｅから１つのＩＣタグ６０のみが表出している状態においては、孔部１４１ａ，１４１ｃ，１４１ｄからは１つのＩＣタグ６０のみが表出している状態となっておらず、それにより、孔部１４１ｂ，１４１ｅに対向するリーダ／ライタのみにてＩＣタグ６０からのタグＩＤの読み取り動作が実行され、孔部１４１ａ，１４１ｃ，１４１ｄに対向するリーダ／ライタにおいてはＩＣタグ６０からのタグＩＤの読み取り動作は実行されない。また、孔部１４１ａ，１４１ｄから１つのＩＣタグ６０のみが表出している状態においては、孔部１４１ｂ，１４１ｃ，１４１ｅからは１つのＩＣタグ６０のみが表出している状態となっておらず、それにより、孔部１４１ａ，１４１ｄに対向するリーダ／ライタのみにてＩＣタグ６０からのタグＩＤの読み取り動作が実行され、孔部１４１ｂ，１４１ｃ，１４１ｅに対向するリーダ／ライタにおいてはＩＣタグ６０からのタグＩＤの読み取り動作は実行されない。また、孔部１４１ｃから１つのＩＣタグ６０のみが表出している状態においては、孔部１４１ａ，１４１ｂ，１４１ｄ，１４１ｅからは１つのＩＣタグ６０のみが表出している状態となっておらず、それにより、孔部１４１ｃに対向するリーダ／ライタのみにてＩＣタグ６０からのタグＩＤの読み取り動作が実行され、孔部１４１ａ，１４１ｂ，１４１ｄ，１４１ｅに対向するリーダ／ライタにおいてはＩＣタグ６０からのタグＩＤの読み取り動作は実行されない。
【００３９】
このように、本形態においても、隣接する搬送列に対応するリーダ／ライタにおいては、互いにずれたタイミングでＩＣタグ６０からタグＩＤが読み取られることになり、隣接する搬送列間にて電波の干渉が生じにくくなり、ＲＦ−ＩＤメディアとの間にて通信不良が生じる可能性が低減される。
【００４０】
なお、上述した実施の形態においては、ＩＣタグ６０が搬送経路５０上を５列になって搬送されてくる場合を例に挙げて説明したが、ＩＣタグ６０が搬送経路５０上を複数列となって搬送されてくるものであれば、隣接する搬送列に対応するリーダ／ライタをずらして配置することによって上述した効果を得ることができる。
【００４１】
また、隣接する搬送列に対応するリーダ／ライタのずれ量は上述したものに限らない。ずれ量が整数倍でない構成とすることにより、隣接する搬送列に対応するリーダ／ライタにて互いにずれたタイミングでＩＣタグ６０から情報が読み取られることになるため、情報を読み取るための電波の干渉によって通信不良が生じてしまう可能性を低減することができる。ただし、上述した実施の形態に示したもののように、孔部がＩＣタグ６０の搬送方向に直交する方向に並んだ列数をＭとした場合、そのずれ量を、ＩＣタグ６０の搬送ピッチの｛整数＋（１／Ｍ）｝倍とすれば、隣接する搬送列間における電波の干渉を効率的に低減することができる。
【００４２】
また、上述した実施の形態においては、ＩＣタグ６０の検査のためにＩＣタグ６０からタグＩＤを読み取るものを例に挙げて説明したが、搬送経路５０上を複数列となって搬送されてくるＩＣタグ６０から、ＩＣタグ６０に書き込まれた情報を読み取るものであれば、本発明を適用することができる。
【００４３】
また、ＲＦ−ＩＤメディアとしては、ＩＣタグ６０に限らずＩＣラベル等であってもよい。ＩＣラベルの場合は、連続状の剥離紙が搬送経路となって、ＩＣラベルがこの剥離紙に剥離可能に貼着された状態で剥離紙の搬送とともに搬送されてくることになる。
【符号の説明】
【００４４】
１０ａ〜１０ｅ    リーダ／ライタ
２０    トリガセンサ
３０    制御部
４０，１４０    シールド板
４１ａ〜４１ｅ，１４１ａ〜１４１ｅ    孔部
５０，１５０    搬送経路
６０    ＩＣタグ
【図１】
0005890726.tif 000002
【図２】
0005890726.tif 000003
【図３】
0005890726.tif 000004
【図４】
0005890726.tif 000005
【図５】
0005890726.tif 000006
【図６】
0005890726.tif 000007